(57)【要約】【課題】異常が通報された利用者に対して誤報の可能性を判断できる情報を通報することにより、誤報に対する異常検知時の対処を行う必要をなくし、無駄な対処時間や費用などを削減することができる警備装置を得ること。【解決手段】監視領域における異常を検知するセンサ１１１を備え、ネットワーク１２０で携帯端末１３０と接続された警備装置１１０において、警備状態切替部１１６１は、センサ１１１が異常を検知した場合に携帯端末１３０に異常検知情報を送信する外出警備状態またはセンサが異常を検知した場合に携帯端末１３０に異常検知情報を送信しない外出警備解除状態を切り替え、異常通報部１１６３は、警備状態切替部１１６１で外出警備状態が設定されている場合に異常検知情報を携帯端末１３０に送信し、警備状態解除通報部１１６４は、警備状態切替部１１６１で外出警備解除状態が設定された場合に、外出警備解除情報を送信する。【選択図】        図１
2006127303.tif 000002
【特許請求の範囲】
【請求項１】
監視領域における異常を検知するセンサを備え、ネットワークで携帯端末と接続された警備装置において、
前記センサが異常を検知した場合に前記携帯端末に異常を検知した前記センサを特定する情報を含む異常検知情報を送信する外出警備状態と前記センサが異常を検知した場合に前記携帯端末に前記異常検知情報を送信しない外出警備解除状態とを切り替えて設定する警備状態切替手段と、
前記警備状態切替手段で前記外出警備状態が設定されている場合に前記異常検知情報を前記携帯端末に送信する異常通報手段と、
前記警備状態切替手段で前記外出警備解除状態が設定された場合に、前記外出警備解除情報を送信する警備状態解除通報手段と、
を備えることを特徴とする警備装置。
【請求項２】
前記警備状態解除通報手段は、さらに前記異常通報手段によって前記異常検知情報を前記携帯端末に送信した後に前記警備状態切替手段によって前記外出警備解除状態が設定された場合に、前記外出警備解除情報を送信することを特徴とする請求項１に記載の警備装置。
【請求項３】
前記警備状態解除通報手段は、さらに前記異常通報手段によって前記異常検知情報を前記携帯端末に送信してから一定時間内に前記警備状態切替手段によって前記外出警備解除状態が設定された場合に、前記外出警備解除情報を送信することを特徴とする請求項１に記載の警備装置。
【請求項４】
前記携帯端末との音声通話回線を接続し、音声データを送受信する音声制御手段、をさらに備えることを特徴とする請求項１〜３のいずれか一つに記載の警備装置。
【請求項５】
前記異常情報通報手段は、さらに前記携帯端末による前記異常検知情報と同一の前記センサがさらに異常を検知した場合に前記異常検知情報を送信するか送信しないかの指示により、前記異常検知情報を送信するか送信しないかを判断することを特徴とする請求項１〜４のいずれか一つに記載の警備装置。
【請求項６】
監視領域における異常を検知するセンサを備えた警備装置と、前記警備装置とネットワークで接続された携帯端末とを備える監視システムにおいて、
前記警備装置は、
前記センサが異常を検知した場合に前記携帯端末に異常を検知した前記センサを特定する情報を含む異常検知情報を送信する外出警備状態と前記センサが異常を検知した場合に前記携帯端末に前記異常検知情報を送信しない外出警備解除状態とを切り替えて設定する警備状態切替手段と、
前記警備状態切替手段で前記外出警備状態が設定されている場合に前記異常検知情報を前記携帯端末に送信する異常通報手段と、
前記異常通報手段によって前記異常検知情報を前記携帯端末に送信した後、前記警備状態切替手段で前記外出警備解除状態が設定された場合に、前記外出警備解除情報を送信する警備状態解除通報手段と、
を備えることを特徴とする監視システム。
【請求項７】
監視領域における異常を検知するセンサが異常を検知した場合に携帯端末に異常を検知した前記センサを特定する情報を含む異常検知情報を送信する外出警備状態と前記センサが異常を検知した場合に前記携帯端末に前記異常検知情報を送信しない外出警備解除状態とを切り替えて設定する警備状態切替ステップと、
前記警備状態切替ステップで前記外出警備状態が設定されている場合に前記異常検知情報を前記携帯端末に送信する異常通報ステップと、
前記異常通報ステップによって前記異常検知情報を前記携帯端末に送信した後、前記警備状態切替ステップで前記外出警備解除状態が設定された場合に、前記外出警備解除情報を送信する警備状態解除通報ステップと、
を備えることを特徴とする警備方法。
【発明の詳細な説明】
【技術分野】
【０００１】
本発明は、監視領域における異常を検知するセンサが異常を検知した場合に異常検知情報をネットワークに接続された携帯端末に送信する警備装置、警備装置を含む監視システム、警備方法に関するものであり、特に、異常検知情報が誤報であることを通知することができる警備装置、警備装置を含む監視システム、警備方法に関する。
【背景技術】
【０００２】
従来、警備装置は、監視領域に設置されているセンサが異常を検知した場合には監視センタに警報を通報したり、ブザーなどの警報により在宅者に対して異常を報知したりするものが一般に知られている。
【０００３】
また、家人が外出時に異常が発生した場合には、上述の通報や報知では家人が異常を知ることができないので、本人による早急な対処を可能とするために、警備装置から本人が携帯しているポケットベルに無線電話回線を通じて直接異常を知らせる技術が公開されている（例えば、特許文献１参照）。また、近年では、センサが異常を検知した場合に所定の通報先（携帯電話）へ通報する限定的な警備装置が市販されている。
【０００４】
【特許文献１】特開平６−３６１５４号公報
【発明の開示】
【発明が解決しようとする課題】
【０００５】
しかしながら、上述の特許文献１の技術や公知技術では、他の利用者による誤操作により異常が通報されてしまうことがある。これは、警備対象が住宅の場合は家人が帰宅した際、警備対象が会社などの場合には社員が出社した際、警備の解除操作を忘れてしまう、あるいは制限時間内に解除操作が行われなかった場合に、家人の誰かが持つ携帯電話または会社の防犯担当者が持つ携帯電話に、異常を検知した旨の通報が行われてしまうものである。このような場合に異常の通報を受けた家人や防犯担当者は、自ら誤報であったことを確認するまでは異常検知時の対処を行う必要があり、まったく無駄な時間や費用などを誤報のために費やすことになるという問題があった。
【０００６】
本発明は、上記に鑑みてなされたものであって、異常が通報された利用者に対して誤報の可能性を判断できる情報を通報することにより、誤報に対する異常検知時の対処を不要とし、無駄な対処時間や費用などを削減することができる警備装置を得ることを目的とする。
【課題を解決するための手段】
【０００７】
上述した課題を解決し、目的を達成するために、請求項１にかかる発明は、監視領域における異常を検知するセンサを備え、ネットワークで携帯端末と接続された警備装置において、前記センサが異常を検知した場合に前記携帯端末に異常を検知した前記センサを特定する情報を含む異常検知情報を送信する外出警備状態と前記センサが異常を検知した場合に前記携帯端末に前記異常検知情報を送信しない外出警備解除状態とを切り替えて設定する警備状態切替手段と、前記警備状態切替手段で前記外出警備状態が設定されている場合に前記異常検知情報を前記携帯端末に送信する異常通報手段と、前記警備状態切替手段で前記外出警備解除状態が設定された場合に、前記外出警備解除情報を送信する警備状態解除通報手段と、を備えることを特徴とする。
【０００８】
また、請求項２にかかる発明は、請求項１に記載の警備装置において、前記警備状態解除通報手段は、さらに前記異常通報手段によって前記異常検知情報を前記携帯端末に送信した後に前記警備状態切替手段によって前記外出警備解除状態が設定された場合に、前記外出警備解除情報を送信することを特徴とする。
【０００９】
また、請求項３にかかる発明は、請求項１に記載の警備装置において、前記警備状態解除通報手段は、さらに前記異常通報手段によって前記異常検知情報を前記携帯端末に送信してから一定時間内に前記警備状態切替手段によって前記外出警備解除状態が設定された場合に、前記外出警備解除情報を送信することを特徴とする。
【００１０】
また、請求項４にかかる発明は、請求項１〜３のいずれか一つに記載の警備装置において、前記携帯端末との音声通話回線を接続し、音声データを送受信する音声制御手段をさらに備えることを特徴とする。
【００１１】
また、請求項５にかかる発明は、請求項１〜４のいずれか一つに記載の警備装置において、前記異常情報通報手段は、さらに前記携帯端末による前記異常検知情報と同一の前記センサがさらに異常を検知した場合に前記異常検知情報を送信するか送信しないかの指示により、前記異常検知情報を送信するか送信しないかを判断することを特徴とする。
【００１２】
また、請求項６にかかる発明は、監視領域における異常を検知するセンサを備えた警備装置と、前記警備装置とネットワークで接続された携帯端末とを備える監視システムにおいて、前記警備装置は、前記センサが異常を検知した場合に前記携帯端末に異常を検知した前記センサを特定する情報を含む異常検知情報を送信する外出警備状態と前記センサが異常を検知した場合に前記携帯端末に前記異常検知情報を送信しない外出警備解除状態とを切り替えて設定する警備状態切替手段と、前記警備状態切替手段で前記外出警備状態が設定されている場合に前記異常検知情報を前記携帯端末に送信する異常通報手段と、前記異常通報手段によって前記異常検知情報を前記携帯端末に送信した後、前記警備状態切替手段で前記外出警備解除状態が設定された場合に、前記外出警備解除情報を送信する警備状態解除通報手段と、を備えることを特徴とする。
【００１３】
また、請求項７にかかる発明は、監視領域における異常を検知するセンサが異常を検知した場合に携帯端末に異常を検知した前記センサを特定する情報を含む異常検知情報を送信する外出警備状態と前記センサが異常を検知した場合に前記携帯端末に前記異常検知情報を送信しない外出警備解除状態とを切り替えて設定する警備状態切替ステップと、前記警備状態切替ステップで前記外出警備状態が設定されている場合に前記異常検知情報を前記携帯端末に送信する異常通報ステップと、前記異常通報ステップによって前記異常検知情報を前記携帯端末に送信した後、前記警備状態切替ステップで前記外出警備解除状態が設定された場合に、前記外出警備解除情報を送信する警備状態解除通報ステップとを備えることを特徴とする。
【発明の効果】
【００１４】
請求項１にかかる発明によれば、警備状態切替手段によって、センサが異常を検知した場合に携帯端末に異常を検知したセンサを特定する情報を含む異常検知情報を送信する外出警備状態とセンサが異常を検知した場合に携帯端末に異常検知情報を送信しない外出警備解除状態とを切り替えて設定し、異常通報手段によって、警備状態切替手段で外出警備状態が設定されている場合に異常検知情報を携帯端末に送信し、警備状態解除通報手段によって、警備状態切替手段で外出警備解除状態が設定された場合に、外出警備解除情報を送信することにより、異常検知情報が誤報であることが容易に判断できるため、誤報に対する異常検知時の対処を行う必要がなくなり、無駄な対処時間や対処にかかる費用などを削減することができるという効果を奏する。
【００１５】
また、請求項２にかかる発明によれば、警備状態解除通報手段は、さらに異常通報手段によって異常検知情報を携帯端末に送信した後に警備状態切替手段によって外出警備解除状態が設定された場合に、外出警備解除情報を送信することにより、異常検知情報が誤報であることが容易に判断できるため、誤報に対する異常検知時の対処を行う必要がなくなり、無駄な対処時間や対処にかかる費用などを削減することができるという効果を奏する。
【００１６】
また、請求項３にかかる発明によれば、警備状態解除通報手段は、さらに異常通報手段によって異常検知情報を携帯端末に送信してから一定時間内に警備状態切替手段によって外出警備解除状態が設定された場合に、外出警備解除情報を送信することにより、誤報に関連の少ない外出警備解除状態の設定については警備状態解除通報がされず、異常検知情報が誤報であることが容易に判断できるため、誤報に対する異常検知時の対処を行う必要がなくなり、無駄な対処時間や対処にかかる費用などを削減することができるという効果を奏する。
【００１７】
また、請求項４にかかる発明によれば、音声制御手段によって、携帯端末との音声通話回線を接続し、音声データを送受信することにより、警備状態解除通知後、警備装置側の警備解除操作をした者と音声通話することができるため、不正に入手したＩＤカード等で操作したものであっても会話により不正操作であることが確認でき、より高度なセキュリティ管理ができるという効果を奏する。
【００１８】
また、請求項５にかかる発明によれば、異常情報通報手段は、さらに携帯端末による異常検知情報と同一のセンサがさらに異常を検知した場合に異常検知情報を送信するか送信しないかの指示により、異常検知情報を送信するか送信しないかを判断することにより、異常を感知したセンサの異常検知情報の通報停止を指定することができるため、利用者にとって再度通報する必要のない異常検知情報（例えば、住宅に家人が帰宅することが分かっている場合や居間で寝ている子供の起床などを知らせる目的で利用している場合など）の通報を停止でき、無駄な対処時間や対処にかかる費用などを削減することができるという効果を奏する。
【００１９】
また、請求項６にかかる発明によれば、監視領域における異常を検知するセンサを備えた警備装置と、警備装置とネットワークで接続された携帯端末とを備える監視システムにおいて、警備装置は、警備状態切替手段によって、センサが異常を検知した場合に携帯端末に異常を検知したセンサを特定する情報を含む異常検知情報を送信する外出警備状態とセンサが異常を検知した場合に携帯端末に異常検知情報を送信しない外出警備解除状態とを切り替えて設定し、異常通報手段によって、警備状態切替手段で外出警備状態が設定されている場合に異常検知情報を携帯端末に送信し、警備状態解除通報手段によって、異常通報手段によって異常検知情報を携帯端末に送信した後、警備状態切替手段で外出警備解除状態が設定された場合に、外出警備解除情報を送信することにより、異常検知情報が誤報であることが容易に判断できるため、誤報に対する異常検知時の対処を行う必要がなくなり、無駄な対処時間や対処にかかる費用などを削減することができるという効果を奏する。
【００２０】
また、請求項７にかかる発明によれば、警備状態切替ステップによって、監視領域における異常を検知するセンサが異常を検知した場合に携帯端末に異常を検知したセンサを特定する情報を含む異常検知情報を送信する外出警備状態とセンサが異常を検知した場合に携帯端末に異常検知情報を送信しない外出警備解除状態とを切り替えて設定し、異常通報ステップによって、警備状態切替ステップで外出警備状態が設定されている場合に異常検知情報を携帯端末に送信し、警備状態解除通報ステップによって、異常通報ステップによって異常検知情報を携帯端末に送信した後、警備状態切替ステップで外出警備解除状態が設定された場合に、外出警備解除情報を送信することにより、異常検知情報が誤報であることが容易に判断できるため、誤報に対する異常検知時の対処を行う必要がなくなり、無駄な対処時間や対処にかかる費用などを削減することができるという効果を奏する。
【発明を実施するための最良の形態】
【００２１】
以下に添付図面を参照して、この発明にかかる監視システムの最良な実施の形態を詳細に説明する。
【００２２】
（第１の実施の形態）
まず、第１の実施の形態について、添付図面を参照して説明する。第１の実施の形態の監視システムは、センサが検知した異常検知情報を携帯電話などの携帯端末に送信する監視システムにおいて、警備解除操作がされた場合に警備解除情報を携帯端末に送信するものである。図１は、第１の実施の形態にかかる監視システムの構成を示すブロック図である。
【００２３】
本実施の形態にかかる監視システム１００は、警備装置１１０と、携帯端末１３０と、監視センタ１４０とから構成されており、警備装置１１０と携帯端末１３０、監視センタ１４０は電話回線、無線ネットワーク、インターネットなどのネットワーク１２０を介して接続されている。
【００２４】
警備装置１１０は、さらに複数のセンサ１１１ａ〜１１１ｎと、警備モード設定部１１２と、マイク１１３と、スピーカ１１４と、入出力制御部１１５と、制御部１１６と、通信制御部１１７とから構成されている。
【００２５】
センサ１１１は、人感センサであり、例えば、赤外線の受光量の変化をもとに人を検出する赤外線センサ、赤外線などが遮られることで人を検出する遮断センサ、電磁波の乱れで人を検出する気配センサ、およびマグネットにより扉の開閉を検出するマグネットセンサなどの警備領域の異常を検出する各種センサである。
【００２６】
警備モード設定部１１２は、警備装置１１０に対して種々の警備のモードを設定するものである。具体的には、警備状態、在宅警備状態、外出セルフ警備状態、警備解除状態を設定することができる。
【００２７】
図２は、警備モードごとの通報、報知処理の有無を示した説明図である。
【００２８】
まず、警備状態は、センサによって異常を検知したときに発せられる検知信号を警備装置が受信した場合に、監視センタに異常を知らせる警報を通報する状態である（図２：監視センタへの通報が○）。警備装置の設置されている警備区域内において異常を検知したことを報知する場合もある（図２：警備区域内での報知が△）。これは、侵入者を威嚇する目的や誤報である場合に警報解除操作を促す目的で報知するものである。携帯端末への通報は行わない（図２：携帯端末への通報が×）。
【００２９】
在宅警備状態は、センサによって異常を検知したときに発せられる検知信号を警備装置が受信した場合に、警備区域内において異常を検知したことを報知する状態である（図２：警備区域内での報知が○）。また、監視センタに異常を知らせる警報を通報する場合もある（図２：監視センタへの通報が△）。これは、警備区域内での異常の報知後、監視センタに通報する場合である。携帯端末への通報は行わない（図２：携帯端末への通報が×）。
【００３０】
外出セルフ警備状態は、センサによって異常を検知したときに発せられる検知信号を警備装置が受信した場合に、外出時に利用者が持つ携帯電話などの携帯端末に異常を検知したことを通報する状態である（図２：携帯端末への通報が○）。外出セルフ警備状態は、本発明における外出警備状態に相当する。
【００３１】
また、センサによって異常を検知したときに発せられる検知信号を警備装置が受信した場合には、監視センタに異常を知らせる警報を通報する場合がある（図２：監視センタへの通報が△）。これは、警備区域内での異常の報知または携帯端末への異常の通報後、監視センタに通報する場合である。さらに、警備区域内において異常を検知したことを報知する場合がある（図２：警備区域内での報知が△）。これは、侵入者を威嚇する目的や誤報である場合に警報解除操作を促す目的で報知するものである。
【００３２】
警備解除状態とは、警備装置がセンサから異常を検知した場合でも監視センタへの警報の通報、警備区域内での異常の報知、携帯端末への異常の通報のいずれも行わない状態である（図２：監視センタへの通報が×、警備区域内での報知が×、携帯端末への通報が×）。警備解除状態は、本発明における外出警備解除状態に相当する。
【００３３】
マイク１１３は在宅者等が発した音声を取得し、スピーカ１１４は送信された音声を出力するものである。
【００３４】
入出力制御部１１５は、センサ１１１ａ〜１１１ｎ、警備モード設定部１１２、マイク１１３、スピーカ１１４による種々のデータの入出力を制御する処理部である。
【００３５】
制御部１１６は、さらに警備状態切替部１１６１と、警備状態記憶部１１６２と、異常通報部１１６３と、警備状態解除通報部１１６４と、音声データ制御部１１６５と、警備区域報知部１１６６とから構成されている。
【００３６】
警備状態切替部１１６１は、警備モード設定部１１２で設置された警備モードに従って、警備モードを上述の警備状態、在宅警備状態、外出セルフ警備状態または警備解除状態のいずれかに切り替えるものである。
【００３７】
警備状態記憶部１１６２は、警備区域の現在の警備モードを記憶している。この警備モードは、警備区域の現在の警備の状態を示すものであり、上述の警備状態、在宅警備状態、外出セルフ警備状態または警備解除状態のいずれかが設定されている。
【００３８】
異常通報部１１６３は、本発明における異常通報手段を構成し、上述の警備状態記憶部１１６２に警備モードが外出セルフ警備状態に設定されているときに、センサ１１１によって異常を検知した場合に、携帯端末１３０に対して異常が検知されたという情報を通報するものである。また、異常通報部１１６３は、警備モードが警備状態に設定されているときにセンサ１１１によって異常を検知した場合に、監視センタ１４０に対して異常が検知されたという情報（警報）を通報するものである。
【００３９】
警備状態解除通報部１１６４は、上述の異常通報部１１６３によって携帯端末に対して異常検知を通報した後に、警備モード設定部１１２において警備モードが警備解除状態に設定された場合に、警備解除状態に設定されたという情報を携帯端末１３０に送信するものである。
【００４０】
音声データ制御部１１６５は、本発明における音声制御手段に相当し、携帯端末１３０と警備装置１１０間の音声データの制御を行うものである。
【００４１】
警備区域報知部１１６６は、警備状態記憶部１１６２に警備モードが在宅警備状態に設定されているときに、警備装置が設置されている警備区域において、ブザーや人工音声などを用いて在宅者に異常の検知を知らせるものである。
【００４２】
通信制御部１１７は、警備装置１１０とネットワーク１２０との間における通信を制御する処理部である。
【００４３】
携帯端末１３０は、図示しない送受信部、制御部、表示部、操作部、音声通話部などから構成されており、公知の携帯電話と同様の構成である。送受信部は、ネットワーク１２０から無線でデータの送受信を行い、制御部は、携帯端末１３０の各種の制御を行う。
【００４４】
表示部は、送信されたデータまたは入力されたデータの表示を行い、操作部は、データの入力を行う。音声通話部は、警備装置１１０から送信される異常検知情報を音声データとして受信し出力するとともに、在宅者との音声通話を行う。
【００４５】
次に、以上のように構成された本実施の形態にかかる警備解除通報処理について説明する。図３は、第１の実施の形態にかかる警備解除通報処理の手順を示すフローチャートである。
【００４６】
警備装置１１０側の処理を説明する。まず、センサ１１１ａが異常を検知する。センサが異常を検知した場合には、異常通報部１１６３は、警備状態記憶部１１６２から現在の警備モードを読み込む（ステップＳ３００１）。異常通報部１１６３は、現在の警備モードが外出セルフ警備状態か否かを判断する（ステップＳ３００２）。
【００４７】
現在の警備モードが外出セルフ警備状態である場合には（ステップＳ３００２：Ｙｅｓ）、異常通報部１１６３は、異常を検知したセンサ１１１ａの異常検知情報を携帯端末１３０に送信する（ステップＳ３００３）。異常検知情報とは、異常を検知したセンサや監視エリアを通知するものであり、例えば、「防犯１１１ａ、侵入警報です。」のような音声データとして送信してもよい。また、音声データではなく、文字データとして送信することも可能である。現在の警備モードが外出セルフ警備状態でない場合には（ステップＳ３００２：Ｎｏ）、異常検知情報の送信は行わず処理を抜ける。
【００４８】
携帯端末１３０側では、警備装置１１０から送信された異常検知情報を受信し、音声メッセージとして出力する（ステップＳ３００４）。なお、異常検知情報を文字データとして受信した場合には、文字メッセージにより出力してもよい。
【００４９】
次に、警備装置１１０側で、警備モード設定部１１２の操作により、警備モードの設定が行われる。警備状態切替部１１６１は、警備モード設定部１１２で設定された警備モードを警備状態記憶部１１６２に記憶する（ステップＳ３００５）。警備状態解除通知部１１６４は、警備状態記憶部１１６２から現在の警備モードを取得する（ステップＳ３００６）。警備状態解除通知部１１６４は、現在の警備モードが警備解除状態であるか否かを判断する（ステップＳ３００７）。
【００５０】
現在の警備モードが警備解除状態である場合は（ステップＳ３００７：Ｙｅｓ）、警備状態解除通知部１１６４は、警備解除情報を携帯端末１３０に送信する（ステップＳ３００８）。例えば、「警備を終了されました。」との音声データを作成し、携帯端末１３０に送信するものである。なお、上述の場合と同様に、音声データではなく文字データとして送信してもよい。現在の警備モードが警備解除状態でない場合は（ステップＳ３００７：Ｎｏ）、警備状態解除情報は送信せずに処理を抜ける。
【００５１】
また、携帯端末１３０に対して異常検知情報を送信してから、一定の期間内に警備モードの設定が行われ、設定された警備モードが警備解除状態であった場合にのみ、警備状態解除情報を携帯端末１３０に送信するようにしてもよい。これは、利用者によっては、誤報か否かの判断に利用できる異常検知情報を受信した後の警備状態解除情報は必要であっても、異常検知情報が送信されずに正常に警備解除状態に切り替えられた場合には信号の送信は不要であり、そのような利用者にとって無用な通信費の発生と無駄な通信を受信する煩わしさを回避することができる。
【００５２】
携帯端末１３０側では、警備装置１１０から送信された警備解除情報を受信し、音声メッセージとして出力する（ステップＳ３００９）。なお、異常検知情報を文字データとして受信した場合には、文字メッセージとして出力してもよい。さらに携帯端末１３０は、音声通話を指示し、音声データを送信する（ステップＳ３０１０）。これにより、警備装置１１０で警備モードの設定操作を行った人と音声通話をすることができる。
【００５３】
警備装置１１０側の音声データ制御部１１６５は、受信した音声通話の指示に従い、受信した音声データをスピーカ１１４から出力する一方、マイク１１３から入力された音声データを携帯端末１３０に送信する（ステップＳ３０１１）。
【００５４】
このように、本実施の形態では、外出先の携帯端末に対し誤報によって異常検知情報が送信された後正当な利用者が通常の警備解除操作を行った場合に、異常検知情報を送信した携帯端末に対し警備状態解除通知を行うことにより、異常検知情報が誤報であることが容易に判断でき、誤報に対する異常検知時の対処を行う必要がなくなり、無駄な対処時間や対処にかかる費用などを削減することができる。これは、警備解除操作を行う際、暗証番号、ＩＤカード、指紋照合などの生体認証により、正当な操作者であることを確認するため、警備状態解除通知を受信すれば、先に受信した異常検知情報は、正当な操作者が解除操作を忘れたか、所定時間内に解除操作が行われなかったことによる誤報であると判断できるのである。
【００５５】
また、携帯端末を所持している者は、警備状態解除通知後、警備装置側の警備解除操作をした者と音声通話することができるため、不正に入手したＩＤカード等で操作したものであっても会話により不正操作であることが確認でき、より高度なセキュリティ管理が可能となる。
【００５６】
（第２の実施の形態）
第２の実施の形態について添付図面を参照して説明する。第２の実施の形態の監視システムは、センサが異常を検知し異常検知情報を携帯電話などの携帯端末に送信した場合に、警備装置に対して異常を検知したセンサからの異常検知情報の通報を停止するかまたは継続するかを指示するものである。図４は、第２の実施の形態にかかる監視システムの構成を示すブロック図である。
【００５７】
本実施の形態にかかる監視システム４００は、警備装置４１０と、携帯端末１３０と、監視センタ１４０とから構成されており、警備装置４１０と携帯端末１３０、監視センタ１４０は電話回線、無線ネットワーク、インターネットなどのネットワーク１２０を介して接続されている。
【００５８】
警備装置４１０は、さらに複数のセンサ１１１ａ〜１１１ｎと、警備モード設定部１１２と、マイク１１３と、スピーカ１１４と、入出力制御部１１５と、制御部４１６と、通信制御部１１７とから構成されている。
【００５９】
ここで、複数のセンサ１１１ａ〜１１１ｎと、警備モード設定部１１２と、マイク１１３と、スピーカ１１４と、入出力制御部１１５と、通信制御部１１７の機能、構成は、第１の実施の形態と同様であるので、説明を省略する。
【００６０】
制御部４１６は、さらに警備状態切替部１１６１と、警備状態記憶部１１６２、異常通報部４１６３と、警備状態解除通報部１１６４と、音声データ制御部１１６５と、警備区域報知部１１６６と、センサ通報データベース１０００とから構成されている。
【００６１】
ここで、警備状態切替部１１６１と、警備状態記憶部１１６２、警備状態解除通報部１１６４と、音声データ制御部１１６５と、警備区域報知部１１６６の機能、構成は、第１の実施の形態と同様であるので、説明を省略する。
【００６２】
異常通報部４１６３は、上述の第１の実施の形態で説明した機能、構成に加えて、携帯端末１３０からの異常検知情報の通報を停止するまたは継続する指示に従い、指定されたセンサの異常検知情報の送信停止または送信を制御するものである。
【００６３】
センサ通報データベース１０００は、警備区域に設置されているセンサごとの異常検知情報の通報の継続または停止を規定する。図５は、センサ通報データベースのデータ構成の一例を示す説明図である。センサ通報データベースは、センサＩＤと異常検知情報の通報の継続または停止の情報とを関連付けて記憶している。例えば、センサＩＤ“１１１ａ”については、異常検知情報の通報は“ＯＮ”（通報継続）、センサＩＤ“１１１ｃ”については、異常検知情報の通報は“ＯＦＦ”（通報停止）などが登録されており、携帯端末１３０からの指示により、その設定は変更される。
【００６４】
次に、以上のように構成された本実施の形態にかかる異常検知情報通報制御処理について説明する。図６は、第２の実施の形態にかかる異常検知情報通報制御処理の手順を示すフローチャートである。
【００６５】
警備装置４１０側の処理を説明する。まず、センサ１１１ａが異常を検知する。センサが異常を検知した場合には、異常通報部４１６３は、警備状態記憶部１１６２から現在の警備モードを読み込む（ステップＳ６００１）。異常通報部４１６３は、現在の警備モードが外出セルフ警備状態か否かを判断する（ステップＳ６００２）。
【００６６】
現在の警備モードが外出セルフ警備状態である場合には（ステップＳ６００２：Ｙｅｓ）、異常通報部４１６３は、センサ通報データベース１０００を検索し、異常を検知したセンサの通報動作を取得する（ステップＳ６００３）。例えば、センサ１１１ａは、センサ通報データベース１０００に通報動作として“ＯＮ（通報継続）”が登録されているため、センサ１１１ａが異常を検知した場合には、異常検知情報は携帯端末１３０に通報されることとなる。
【００６７】
また、現在の警備モードが外出セルフ警備状態でない場合には（ステップＳ６００２：Ｎｏ）、処理を抜ける。
【００６８】
異常通報部４１６３は、異常を検知したセンサの通報動作に通報停止（ＯＦＦ）が設定されているか否かを判断する（ステップＳ６００４）。
【００６９】
異常を検知したセンサの通報動作に通報停止が設定されていないと判断した場合に（ステップＳ６００４：Ｎｏ）、異常通報部４１６３は、異常を検知したセンサの異常検知情報を携帯端末１３０に送信する（ステップＳ６００５）。例えば、「防犯１１１ａ、侵入警報です。」という音声データを生成し、携帯端末１３０に送信するものである。なお、音声データではなく、文字データとして送信してもよい。
【００７０】
異常を検知したセンサの通報動作に通報停止が設定されていると判断した場合に（ステップＳ６００４：Ｙｅｓ）、異常通報部４１６３は、異常検知情報の通報は行わず、処理を抜ける。例えば、センサ１１１ｃは、センサ通報データベース１０００に通報動作として“ＯＦＦ（通報停止）”が登録されているため、センサ１１１ｃが異常を検知した場合でも、異常検知情報は携帯端末１３０に通報されない。
【００７１】
携帯端末１３０側では、警備装置１１０から送信された異常検知情報を受信し、音声メッセージとして出力する（ステップＳ６００６）。さらに、携帯端末１３０は、通報されたセンサがさらに異常を検知した場合に、異常検知情報の通報を継続して送信するかまたは異常検知情報の通報の送信を停止するかを指示する（ステップＳ６００７）。例えば、携帯電話のプッシュボタンで「１＃」を押下した場合は通報の継続の指示とし、「２＃」を押下した場合には通報の停止の指示としてもよい。また、音声による指示でもよい。
【００７２】
次に、警備装置１１０側では、異常通報部４１６３は、携帯端末１３０から送信された異常を検知したセンサに対する異常検知情報の通報の継続または停止指示を受信する（ステップＳ６００８）。異常通報部４１６３は、センサ通報データベース１０００から対象センサの通報状態を検索し、携帯端末１３０からの通報継続（ＯＮ）または通報停止（ＯＦ）を記憶する（ステップＳ６００９）。
【００７３】
例えば、センサ１１１ａについての異常検知情報を携帯端末１３０に通報後、携帯端末１３０から通報停止を指示した場合には、センサ通報データベース１０００のセンサ１１１ａの通報動作として“ＯＦＦ（通報停止）”が登録され、再度センサ１１１ａが異常を検知した場合には、フローチャートのステップＳ６００４において、異常を検知したセンサの通報動作に通報停止が設定されていると判断されるため（ステップＳ６００４：Ｙｅｓ）、携帯端末１３０に異常検知情報は通報されないこととなる。
【００７４】
このように、本実施の形態では、外出先の携帯端末に対し異常検知情報が送信された場合に、対象センサの異常検知情報の通報停止を指定することができるため、利用者にとって再度通報する必要のない異常検知情報（例えば、住宅に家人が帰宅することが分かっている場合や居間で寝ている子供の起床など）の通報を停止でき、無駄な対処時間や対処にかかる費用などを削減することができる。
【図面の簡単な説明】
【００７５】
【図１】第１の実施の形態にかかる監視システムの構成を示すブロック図である。
【図２】警備モードごとの通報、報知処理の有無を示した説明図である。
【図３】第１の実施の形態にかかる警備解除通報処理の手順を示すフローチャートである。
【図４】第２の実施の形態にかかる監視システムの構成を示すブロック図である。
【図５】センサ通報データベースのデータ構成の一例を示す説明図である。
【図６】第２の実施の形態にかかる異常検知情報通報制御処理の手順を示すフローチャートである。
【符号の説明】
【００７６】
１００  ４００  監視システム
１１０  ４１０  警備装置
１２０  ネットワーク
１３０  携帯端末
１４０  監視センタ
１１１ａ〜１１１ｎ  センサ
１１２  警備モード設定部
１１３  マイク
１１４  スピーカ
１１５  入出力制御部
１１６  制御部
１１７  通信制御部
１１６１  警備状態切替部
１１６２  警備状態記憶部
１１６３  ４１６３  異常通報部
１１６４  警備状態解除通報部
１１６５  音声データ制御部
１１６６  警備区域報知部
１０００  センサ通報データベース
【図１】
2006127303.tif 000003
【図２】
2006127303.tif 000004
【図３】
2006127303.tif 000005
【図４】
2006127303.tif 000006
【図５】
2006127303.tif 000007
【図６】
2006127303.tif 000008